(57)【要約】【課題】弾性ユニットに液体が直接接触して変質することを防ぐことができる上、モジュール化することができるため、在庫を減らすことができ、製品への応用範囲が広いノズルヘッド装置を提供する。【解決手段】ノズルヘッド装置１０は、液体が内部に充填される容器の瓶口に取付けられ、操作により容器内の液体が注出し、収納ユニット１、キャップユニット２、バルブ３、注出ユニット４、弾性ユニット５及び押圧ユニット６を備える。収納ユニット１は、上から下方向にかけて徐々に縮小した管状体であり、大径の上部空気室１１及び小径の下部空気室１２を内部に有し、一方の端部に、第１の係合部１３が延設され、他方の端部に、吸入管が底端に接続され、徐々に縮小する連通口が設けられる。押圧ユニット６は、ピストン４１の係合段部４１１に取付けられ、液体を注出するノズル６１を上部に有する。【選択図】図１
0003169600.tif 000002
【実用新案登録請求の範囲】
【請求項１】
液体が内部に充填される容器の瓶口に取付けられ、操作により前記容器内の液体が注出し、収納ユニット、キャップユニット、バルブ、注出ユニット、弾性ユニット及び押圧ユニットを備えるノズルヘッド装置であって、
前記収納ユニットは、上から下方向にかけて徐々に縮小した管状体であり、大径の上部空気室及び小径の下部空気室を内部に有し、一方の端部に、第１の係合部が延設され、他方の端部に、吸入管が底端に接続され、徐々に縮小する連通口が設けられ、
前記キャップユニットは、前記容器の瓶口に螺着するスクリューキャップと、前記収納ユニットの端部に嵌着される密封部材と、を有し、前記密封部材は、前記第１の係合部が係合される第２の係合部を端部に有し、第２の当接部が内側に設けられた中孔を有し、
前記バルブは、前記収納ユニットの前記下部空気室内に配置され、上動して前記連通口を開放し、下動して前記連通口を閉塞する往復運動を行い、
前記注出ユニットは、前記収納ユニットの前記上部空気室内に組み込まれ、ピストン、ピストンロッド及びリップパッキンを有し、前記ピストンは、中空構造の管状体であり、係合段部を頂端に有し、嵌合部を底端に有し、前記ピストンの外周縁部には、第１の当接部が設けられ、前記ピストンロッドの上段部は、前記ピストンに挿通する柱状体であり、前記柱状体の外周面には、複数の液体案内溝が軸方向に延設され、前記ピストンロッドの下段部は、ブロック部を有し、前記リップパッキンは、前記嵌合部に嵌合され、前記ブロック部と気密係合する環部が底端に設けられ、
前記弾性ユニットは、前記ピストンに外嵌され、一方の端部が前記第１の当接部に当接され、他方の端部が前記第２の当接部に当接され、
前記押圧ユニットは、前記ピストンの前記係合段部に取付けられ、液体を注出するノズルを上部に有し、前記押圧ユニットが押圧されて下動したり前記弾性ユニットにより復位したりすることにより、前記リップパッキンと前記ピストンロッドとの間で、液体の流路を開閉する軸方向の往復運動を行うことを特徴とするノズルヘッド装置。
【請求項２】
前記スクリューキャップの内周面には、前記キャップユニットを前記容器の瓶口に螺着するネジ部が設けられていることを特徴とする請求項１に記載のノズルヘッド装置。
【請求項３】
前記収納ユニットの底端には、前記吸入管を接続する接続部が設けられることを特徴とする請求項１に記載のノズルヘッド装置。
【請求項４】
前記バルブはボールバルブであることを特徴とする請求項１に記載のノズルヘッド装置。
【請求項５】
前記ブロック部は扁平なリング状であることを特徴とする請求項１に記載のノズルヘッド装置。
【請求項６】
前記スクリューキャップは、前記密封部材と一体成形されることを特徴とする請求項１に記載のノズルヘッド装置。
【請求項７】
クリップが設けられた固定部材をさらに備え、
前記キャップユニットには、前記押圧ユニットの移動可能範囲を規制することが可能なように前記クリップが取付けられ、筒部が上方に向かって延設されることを特徴とする請求項６に記載のノズルヘッド装置。
【考案の詳細な説明】
【技術分野】
【０００１】
本考案は、ノズル装置に関し、特に、液体を注出するために用いるノズルヘッド装置に関する。
【背景技術】
【０００２】
図７を参照する。図７に示すように、従来のノズルヘッド装置１００は、ノズル１０１ａが設けられたノズルヘッド１０１を有する。ノズルヘッド１０１は、注出管１０３が貫挿されるスクリューキャップ１０２が下部に嵌合されている。錐形キャップ１０４は、注出管１０３の底端に接続され、チューブ１０５が底部に取付けられる。チューブ１０５は、錐形キャップ１０４により覆われる箇所に、互いに対向するように外周面に設けられた２つの小孔１０５ａを有する。チューブ１０５の末端部には、バネ１０６が配置される。このバネ１０６の下端には、鋼球１０７が配置される。これら注出管１０３、錐形キャップ１０４、チューブ１０５、バネ１０６及び鋼球１０７は、上から下方向にかけて、収納管１０８内に順次収納され、収納管１０８の底端には、吸入管１０９が嵌合される。
【０００３】
従来のノズルヘッド装置１００を使用する際、ユーザがノズルヘッド１０１を押圧すると、ノズルヘッド１０１のノズル１０１ａから容器内の空気が瞬間的に注出され、サイフォンの原理により、空気とともに液体が吸入管１０９を通って収納管１０８に入る。この際、バネ１０６の弾性により、チューブ１０５の底部により鋼球１０７が押圧され、鋼球１０７により収納管１０８の開口１０８ａが閉塞され、チューブ１０５と錐形キャップ１０４との間に設けられた隙間に沿って、収納管１０８内の液体が、チューブ１０５の外周面に設けられた２つの小孔１０５ａを通ってチューブ１０５内に浸入してから、液体が空気とともに注出管１０３を通り、ノズルヘッド１０１のノズル１０１ａから注出される。ユーザがノズルヘッド１０１から手を離すと、ノズルヘッド１０１が復位し、収納管１０８内に残留した液体が容器内に還流する。
【０００４】
従来のノズルヘッド装置１００の構造は、液体注出機能を有するが、バネ１０６、鋼球１０７などの金属部材が、収納管１０８内に配置されているため、金属部材に液体が長時間接触した場合、液体が化学変化を起こして変質する虞があり、最悪の場合、その液体を使用したユーザが傷害を負う虞もある。このような問題点を解決するために、図８に示すような従来のノズルヘッド装置装置２００が既に開発されている。従来のノズルヘッド装置２００は、ユーザが使用し易いように、ノズルヘッド２０１とスクリューキャップ２０２との間にバネ２０３が配置され、収納管２０４内にある液体が金属部材と長時間接触することを防ぐために、鋼球は用いられていない。この従来のノズルヘッド装置２００の構造は、金属部材に液体が長時間接触することを防ぐことができるが、ノズルヘッド２０１とスクリューキャップ２０２との間にバネ２０３を配置しなければならないため、部品の組み立てが複雑で、モジュール化することが困難である上、部品の在庫を減らすことができず、応用範囲が狭いため、改善が求められていた。そのため、応用範囲が広く、バネに液体が接触することがないノズルヘッド装置が求められていた。
【考案の概要】
【考案が解決しようとする課題】
【０００５】
本考案の主な目的は、弾性ユニットに液体が直接接触することを防ぐことができる上、モジュール化することにより在庫を減らし、製品への応用範囲が広いノズルヘッド装置を提供することにある。
【課題を解決するための手段】
【０００６】
上記課題を解決するために、本考案の第１の形態によれば、液体が内部に充填される容器の瓶口に取付けられ、操作により前記容器内の液体が注出し、収納ユニット、キャップユニット、バルブ、注出ユニット、弾性ユニット及び押圧ユニットを備えるノズルヘッド装置であって、前記収納ユニットは、上から下方向にかけて徐々に縮小した管状体であり、大径の上部空気室及び小径の下部空気室を内部に有し、一方の端部に、第１の係合部が延設され、他方の端部に、吸入管が底端に接続され、徐々に縮小する連通口が設けられ、  前記キャップユニットは、前記容器の瓶口に螺着するスクリューキャップと、前記収納ユニットの端部に嵌着される密封部材と、を有し、前記密封部材は、前記第１の係合部が係合される第２の係合部を端部に有し、第２の当接部が内側に設けられた中孔を有し、前記バルブは、前記収納ユニットの前記下部空気室内に配置され、上動して前記連通口を開放し、下動して前記連通口を閉塞する往復運動を行い、前記注出ユニットは、前記収納ユニットの前記上部空気室内に組み込まれ、ピストン、ピストンロッド及びリップパッキンを有し、前記ピストンは、中空構造の管状体であり、係合段部を頂端に有し、嵌合部を底端に有し、前記ピストンの外周縁部には、第１の当接部が設けられ、前記ピストンロッドの上段部は、前記ピストンに挿通する柱状体であり、前記柱状体の外周面には、複数の液体案内溝が軸方向に延設され、前記ピストンロッドの下段部は、ブロック部を有し、前記リップパッキンは、前記嵌合部に嵌合され、前記ブロック部と気密係合する環部が底端に設けられ、前記弾性ユニットは、前記ピストンに外嵌され、一方の端部が前記第１の当接部に当接され、他方の端部が前記第２の当接部に当接され、前記押圧ユニットは、前記ピストンの前記係合段部に取付けられ、液体を注出するノズルを上部に有し、前記押圧ユニットが押圧されて下動したり前記弾性ユニットにより復位したりすることにより、前記リップパッキンと前記ピストンロッドとの間で、液体の流路を開閉する軸方向の往復運動を行うことを特徴とするノズルヘッド装置が提供される。
【０００７】
前記スクリューキャップの内周面には、前記キャップユニットを前記容器の瓶口に螺着するネジ部が設けられていることが好ましい。
【０００８】
前記収納ユニットの底端には、前記吸入管を接続する接続部が設けられることが好ましい。
【０００９】
前記バルブはボールバルブであることが好ましい。
【００１０】
前記ブロック部は扁平なリング状であることが好ましい。
【００１１】
前記スクリューキャップは、前記密封部材と一体成形されることが好ましい。
【００１２】
クリップが設けられた固定部材をさらに備え、前記キャップユニットには、前記押圧ユニットの移動可能範囲を規制することが可能なように前記クリップが取付けられ、筒部が上方に向かって延設されることが好ましい。
【考案の効果】
【００１３】
本考案のノズルヘッド装置は、弾性ユニットを外部に配置することにより、金属部材に接触した液体が変質することを防ぐことができる上、収納ユニット、キャップユニット、注出ユニットなどがモジュール化されているため、自在に組み合わせたり在庫を減らし、製品への応用範囲を広げることができる。そのため、製造メーカは便利に使用することができる。
【図面の簡単な説明】
【００１４】
【図１】本考案の第１実施形態によるノズルヘッド装置を示す分解斜視図である。
【図２】本考案の第１実施形態によるノズルヘッド装置を示す断面図である。
【図３】本考案の第１実施形態によるノズルヘッド装置を使用するときの状態を示す断面図である。
【図４】本考案の第１実施形態によるノズルヘッド装置を使用するときの状態を示す断面図である。
【図５】本考案の第２実施形態によるノズルヘッド装置を示す分解斜視図である。
【図６】本考案の第２実施形態によるノズルヘッド装置を示す断面図である。
【図７】従来のノズルヘッド装置を示す分解斜視図である。
【図８】従来のノズルヘッド装置を示す断面図である。
【考案を実施するための形態】
【００１５】
以下、本考案の実施形態について図に基づいて説明する。なお、これによって本考案が限定されるものではない。
【００１６】
（第１実施形態）
図１及び図２を参照する。図１及び図２に示すように、本考案の第１実施形態によるノズルヘッド装置１０は、液体３０が内部に充填された容器２０の瓶口に取付けられ、ノズルヘッド装置１０を操作すると、容器２０内の液体３０を吸い上げることができる。ノズルヘッド装置１０は、少なくとも収納ユニット１、キャップユニット２、バルブ３、注出ユニット４、弾性ユニット５及び押圧ユニット６から構成される。収納ユニット１は、上から下方向にかけて徐々に縮小した管状体であり、大径の上部空気室１１及び小径の下部空気室１２が内部に設けられている。収納ユニットは、一方の端部に、第１の係合部１３が延設され、他方の端部に、徐々に縮小する連通口１４を有する。連通口１４の底端には、吸入管７を接続するために用いる接続部１５が設けられている。
【００１７】
キャップユニット２は、容器２０の瓶口に螺着するスクリューキャップ２１と、収納ユニット１の端部に嵌着される密封部材２２と、を有する。スクリューキャップ２１の内周面には、キャップユニット２を容器２０の瓶口に螺着するために用いるネジ部２１１が設けられている。密封部材２２は、第１の係合部１３に係合される第２の係合部２３が端部に設けられ、中孔２４を有する。中孔２４の内側には、第２の当接部２５が設けられている。
【００１８】
バルブ３は、収納ユニット１の下部空気室１２内に配置され、上動して連通口１４を開放したり、下動して連通口１４を閉塞したりする往復運動を行うことができる。図１及び図２に示すように、本実施形態のバルブ３は、ボールバルブであるが、この態様だけに限定されるわけではなく、必要に応じて同等の機能を有する等価の部品に代替してもよい。
【００１９】
注出ユニット４は、ピストン４１、ピストンロッド４２及びリップパッキン４３を有し、収納ユニット１の上部空気室１１内に組み込まれる。ピストン４１は、中空の管状体であり、頂端に設けられた係合段部４１１と、底端に設けられた嵌合部４１２と、を有する。このピストン４１の外周縁部には、第１の当接部４１３が設けられる。ピストンロッド４２の上段部には、ピストン４１に挿通される柱状体４２１が形成されている。この柱状体４２１は、軸方向に延設された複数の液体案内溝４２２を外周面に有する。ピストンロッド４２の下段部は、扁平なリング状のブロック部４２３である。リップパッキン４３は、嵌合部４１２に嵌合され、ブロック部４２３と気密係合される環部４３１が底端に設けられる。
【００２０】
弾性ユニット５は、ピストン４１に外嵌され、一方の端部が第１の当接部４１３に当接され、他方の端部が第２の当接部２５に当接される。
【００２１】
押圧ユニット６は、ピストン４１の係合段部４１１に取付けられ、液体３０を注出するために用いるノズル６１を上部に有する。押圧ユニット６が、押圧されて下動したり弾性ユニット５により復位したりすることにより、リップパッキン４３とピストンロッド４２との間で、液体の流路を開閉する軸方向の往復運動が行われる。
【００２２】
上述の構造を有する本考案の第１実施形態によるヘッド装置は、弾性ユニット５が、ピストン４１の外側に配置されることにより、弾性ユニット５と液体３０とが直接接触して液体３０が変質することを防ぐことができる上、収納ユニット１、キャップユニット２、注出ユニット４などがモジュール化されているため、自在に組み合わせることができ、在庫を減らし、製品への応用範囲を広げることができる。そのため、製造メーカは便利に使用することができる。
【００２３】
図３を参照する。図３に示すように、本考案の第１実施形態によるノズルヘッド装置は、押圧ユニット６が下方向の圧力を受けるのに連動して注出ユニット４のピストン４１及びピストンロッド４２が徐々に下動すると、収納ユニット１の上部空気室１１の空間がそれに伴い徐々に圧縮される。液体の圧力が大きくなるのに従い、バルブ３が下動して収納ユニット１の連通口１４が閉塞されると、収納ユニット１が密封状態となる。ピストンロッド４２が下動し、ピストンロッド４２のブロック部４２３と、リップパッキン４３の環部４３１とが離れると、ピストンロッド４２の液体案内溝４２２が液体３０の流出口となり、瞬間的に高い圧力を受けた液体３０が、ピストン４１内を通った後、押圧ユニット６のノズル６１から外部に向かって注出される。
【００２４】
図４を参照する。図４に示すように、本考案の第１実施形態では、押圧ユニット６からユーザが手を離して押圧された状態から復位する際、弾性ユニット５の弾性により、ピストン４１及びピストンロッド４２が直接上方に押し戻され、ピストンロッド４２のブロック部４２３と、リップパッキン４３の環部４３１とが気密係合した状態に回復すると、収納ユニット１の上部空気室１１の気圧が外部気圧よりも低くなるため、容器２０内の液体３０により、収納ユニット１の連通口１４の上方にあるバルブ３が自然に押し開かれ、バルブ３を通って上部空気室１１内部に流入し、次の押圧動作が行われるまで貯留される。
【００２５】
（第２実施形態）
図５及び図６を参照する。図５及び図６に示すように、本考案の第２実施形態によるノズルヘッド装置１０は、少なくとも収納ユニット１、キャップユニット２、バルブ３、注出ユニット４、弾性ユニット５及び押圧ユニット６から構成される。このキャップユニット２のスクリューキャップ２１は、密封部材２２と一体成形されてもよい。また、ノズルヘッド装置１０は、クリップ８１が設けられた固定部材８を有する。キャップユニット２は、上方に向かって延設された筒部２１２を有し、ユーザが不用意に押圧することを防ぐことができるように、この筒部２１２にクリップ８１が取付けられ、押圧ユニット６の移動可能範囲を規制する。本考案の第２実施形態によるヘッド装置は、その他の構造及び動作原理については、第１実施形態と同じであるため、ここでは繰り返して述べない。
【００２６】
上述したことから分かるように、本考案のノズルヘッド装置は、以下（１）及び（２）の長所を有する。
（１）弾性ユニットを外部に配置することにより、金属部材に接触した液体が変質することを防ぐことができる。
（２）収納ユニット、キャップユニット、注出ユニットなどがモジュール化され、自在に組み合わせることができる構造であるため、在庫が減り、製品への応用範囲を広げることができる。そのため、製造メーカは便利に使用することができる。
【００２７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１        収納ユニット
２        キャップユニット
３        バルブ
４        注出ユニット
５        弾性ユニット
６        押圧ユニット
７        吸入管
８        固定部材
１０      ノズルヘッド装置
１１      上部空気室
１２      下部空気室
１３      第１の係合部
１４      連通口
１５      接続部
２０      容器
２１      スクリューキャップ
２２      密封部材
２３      第２の係合部
２４      中孔
２５      第２の当接部
３０      液体
４１      ピストン
４２      ピストンロッド
４３      リップパッキン
６１      ノズル
８１      クリップ
１００    従来のノズルヘッド装置
１０１    ノズルヘッド
１０１a  ノズル 
１０２    スクリューキャップ
１０３    注出管
１０４    錐形キャップ
１０５    チューブ
１０５ａ  小孔
１０６    バネ
１０７    鋼球
１０８    収納管
１０８ａ  開口
１０９    吸入管
２００    従来のノズルヘッド装置
２０１    ノズルヘッド
２０２    スクリューキャップ
２０３    バネ
２０４    収納管
２１１    ネジ部
２１２    筒部
４１１    係合段部
４１２    嵌合部
４１３    第１の当接部
４２１    柱状体
４２２    液体案内溝
４２３    ブロック部
４３１    環部
【図１】
0003169600.tif 000003
【図２】
0003169600.tif 000004
【図３】
0003169600.tif 000005
【図４】
0003169600.tif 000006
【図５】
0003169600.tif 000007
【図６】
0003169600.tif 000008
【図７】
0003169600.tif 000009
【図８】
0003169600.tif 000010